(57)【要約】【課題】周縁部に設けられた開封用タブ４を引くことで、開封用表半切り線５と、開封用裏半切り線６とで挟まれた領域を層間剥離させて開封することが可能な蓋材１について、滑らかに開封できるようにし、開封を失敗しにくくする。【解決手段】開封用タブ４の一側の基部から蓋材１の周縁部を廻って他側の基部まで形成された開封用表半切り線５と、開封用タブ４の一側の基部から蓋材１の周縁部を廻って他側の基部まで、開封用表半切り線５の内側に形成された開封用裏半切り線６とを設ける。【選択図】図１
2008018955.tif 000002
【特許請求の範囲】
【請求項１】
周縁部に設けられた開封用タブを引くことで、開封用表半切り線と、開封用裏半切り線とで挟まれた領域を層間剥離させて開封可能な蓋材において、
開封用タブの一側の基部から蓋材の周縁部を廻って他側の基部まで形成された開封用表半切り線と、開封用タブの一側の基部から蓋材の周縁部を廻って他側の基部まで、開封用表半切り線の内側に形成された開封用裏半切り線とを有することを特徴とする蓋材。
【請求項２】
開封用表半切り線が、開封用タブの両側部をそれぞれ内側へ延長する方向に形成されたタブ側表半切り線部と、一方のタブ側表半切り線部を、蓋材の周縁部を廻って他方のタブ側表半切り線部へつなげる周縁側表半切り線部とを備えており、
開封用裏半切り線が、両タブ側表半切り線部の内側に、それぞれ内側に凸の湾曲ラインとして形成されたタブ側裏半切り線部と、一方のタブ側裏半切り線部を、蓋材の周縁部を廻って他方のタブ側裏半切り線部へつなぐ周縁側裏半切り線部とを備えていることを特徴とする請求項１に記載の蓋材。
【請求項３】
周縁側裏半切り線部を環状につなげる補助裏半切り線を備えていることを特徴とする請求項２に記載の蓋材。
【請求項４】
周縁部に設けられた開封用タブを引くことで、開封用表半切り線と、開封用裏半切り線とで挟まれた領域を層間剥離させて開封可能な蓋材において、
開封用タブの基部と、基部より先端側とをそれぞれ横断して、複数本のタブ横断裏半切り線が形成されていることを特徴とする蓋材。
【請求項５】
開封用タブの基部および基部付近を横断して、複数本のタブ横断裏半切り線が形成されていることを特徴とする請求項１〜３のいずれか１項に記載の蓋材。
【発明の詳細な説明】
【技術分野】
【０００１】
本発明は、周縁部に設けられた開封用タブを引くことで、開封用表半切り線と、開封用裏半切り線とで挟まれた領域を層間剥離させて開封することが可能な蓋材に関する。
【背景技術】
【０００２】
従来、周縁部に設けられた開封用タブを引くことで、開封用表半切り線と、開封用裏半切り線とで挟まれた領域を層間剥離させて開封することが可能な蓋材としては、開封用タブの両側の基部から、それぞれ開封用タブの両側部を内側に延長する方向に形成した開封用裏半切り線（以下「タブ側裏半切り線部」という）と、一方のタブ側裏半切り線部の内端から蓋材の周縁部を廻って他方のタブ側裏半切り線部の内端まで形成された開封用裏半切り線（以下「周縁側裏半切り線部」という）と、一方のタブ側裏半切り線部の中間部から蓋材の周縁部を廻って他方のタブ側裏半切り線部の中間部まで、周縁側裏半切り線部の外側に形成された開封用表半切り線（以下「周縁側表半切り線部」という）とを備えたものが知られている（例えば、特許文献１参照）。
【０００３】
上記従来の蓋材の場合、開封用タブを引き起こして引っ張ると、まず、タブ側裏半切り線部に沿って引き裂きが始まる。引き裂きが、タブ側裏半切り線部と周縁側表半切り線部との交点まで進行すると、周縁側表半切り線部とタブ側裏半切り線部とで挟まれた領域で層間剥離が始まる。層間剥離は、周縁側表半切り線部と、周縁側裏半切り線部とで挟まれた領域へと順次移行し、蓋材の中央部が、周縁側表半切り線部と、タブ側裏半切り線部および周縁側裏半切り線部とを介して切り離されて開封されることになる。
【０００４】
【特許文献１】特開２０００−３０９３７５号公報
【発明の開示】
【発明が解決しようとする課題】
【０００５】
しかしながら、上記従来の蓋材の場合、当初はタブ側裏半切り線部に沿って引き裂き、この引き裂きを、周縁側表半切り線部とタブ側裏半切り線部とで挟まれた領域から、周縁側表半切り線部と周縁側裏半切り線部とで挟まれた領域での層間剥離へと進行させる二段開封となる。このため、引き裂きから層間剥離へ移行する際の抵抗に大きな段差を生じやすく、スムーズな移行が阻害されたり、場合によっては蓋材全体が容器のフランジ部から剥離してしまい、開封を失敗しやすい問題がある。
【０００６】
また、開封用タブを引き起こして折り立てるときに、時として曲がった状態で折り立ててしまい、開封用タブの一方の側部に片寄った力を加えてしまって、やはり開封を失敗しやすい問題もある。
【０００７】
本発明は、上記従来の問題点に鑑みてなされたもので、周縁部に設けられた開封用タブを引くことで、開封用表半切り線と、開封用裏半切り線とで挟まれた領域を層間剥離させて開封することが可能な蓋材について、確実かつ滑らかに開封できるようにすると共に、開封用タブを正しく摘みやすい状態で容易に引き起こすことができるようにし、開封を失敗しにくくすることを目的とする。
【課題を解決するための手段】
【０００８】
本発明の第１の態様は、上記目的のために、周縁部に設けられた開封用タブを引くことで、開封用表半切り線と、開封用裏半切り線とで挟まれた領域を層間剥離させて開封可能な蓋材において、開封用タブの一側の基部から蓋材の周縁部を廻って他側の基部まで形成された開封用表半切り線と、開封用タブの一側の基部から蓋材の周縁部を廻って他側の基部まで、開封用表半切り線の内側に形成された開封用裏半切り線とを有することを特徴とする蓋材を提供するものである。
【０００９】
上記本発明の第１は、開封用表半切り線が、開封用タブの両側部をそれぞれ内側へ延長する方向に形成されたタブ側表半切り線部と、一方のタブ側表半切り線部を、蓋材の周縁部を廻って他方のタブ側表半切り線部へつなげる周縁側表半切り線部とを備えており、開封用裏半切り線が、両タブ側表半切り線部の内側に、それぞれ内側に凸の湾曲ラインとして形成されたタブ側裏半切り線部と、一方のタブ側裏半切り線部を、蓋材の周縁部を廻って他方のタブ側裏半切り線部へつなぐ周縁側裏半切り線部とを備えていること、
周縁側裏半切り線部を環状につなげる補助裏半切り線を備えていること、
をその好ましい態様として含むものである。
【００１０】
また、本発明の第２の態様は、周縁部に設けられた開封用タブを引くことで、開封用表半切り線と、開封用裏半切り線とで挟まれた領域を層間剥離させて開封可能な蓋材において、開封用タブの基部と、基部より先端側とをそれぞれ横断して、複数本のタブ横断裏半切り線が形成されていることを特徴とする蓋材を提供するものである。
【００１１】
上記本発明の第２は、本発明の第１に係る蓋材に好ましく適用できるものである。
【発明の効果】
【００１２】
本発明の蓋材は、開封用タブの両側の基部にそれぞれ開封用表半切り線との端部と、開封用裏半切り線の端部とが集まっているので、開封当初から開封用表半切り線と開封用裏半切り線とで挟まれた領域を層間剥離させながら開封作業を行うことができる。このため、開封作業途中で抵抗に大きな段差を生じにくく、開封の失敗を防止しやすい。
【００１３】
また、タブ横断裏半切り線を複数本形成しておくと、開封用タブを基部から容易に折り立てることができ、開封用タブが基部からずれた位置で折り立てられて、引っ張る力が片寄りやすくなることを防止することができる。また、開封用タブを折り立てた後、摘みやすい状態で、開封用タブを蓋材の中心方向に倒すことができ、開封作業が行いやすくなる。
【発明を実施するための最良の形態】
【００１４】
図１〜図８に基づいて本発明の一例を説明する。
【００１５】
図１は本発明の一例に係る蓋材付きの容器の平面図、図２は図１に示される蓋材付き容器の縦断面図、図３および図４は容器のフランジ部と蓋材の接合部周りの拡大断面図で、図３は開封前の状態を示す図、図４は開封時の状態を示す図、図５〜図１１は蓋材の開封用タブ付近の拡大平面図で、図５は開封前の状態を示す図、図６は図５の状態から開封用タブを引っ張り始めた初期段階を示す図、図７は図６の状態からさらに開封用タブを引っ張り、蓋材の層間剥離が始まった開封第２段階の一例を示す図、図８は図７の状態からさらに開封用タブを引っ張り、蓋材の層間剥離がさらに進んだ開封第３段階の一例を示す図、図９は開封第２段階の他の例を示す図、図１０は図９の状態からさらに開封用タブを引っ張り、蓋材の層間剥離がさらに進んだ開封第３段階の他の例を示す図、図１１は開封第３段階のさらに他の例を示す図である。
【００１６】
なお、図面において、表面に現れている部分は太線で、背面に隠れている部分は細線で示す。また、各図において、同じ符号は同じ部材または部位を示す。
【００１７】
図１および図２に示されるように、本例の蓋材１は、平面ほぼ矩形（方形）をなし、ほぼ同様の平面形状をなす容器２に取り付けられている。容器２は、開口部周縁にフランジ部３が張り出しており、蓋材１は、周縁部がこのフランジ部３に融着されて、容器２を封止している。
【００１８】
蓋材１のコーナー部には、両側が切り欠かれて舌片状に形成された開封用タブ４が形成されている。この開封用タブ４の一側の基部から蓋材１の周縁部を廻って他側の基部まで、開封用表半切り線５（図面では線分の短い破線で示す）が形成されている。また、この開封用表半切り線５の内側には、開封用タブ４の一側の基部から蓋材１の周縁部を廻って他側の基部まで、開封用裏半切り線６（図面では線分の長い破線で示す）が形成されている。つまり、開封用表半切り線５と開封用裏半切り線６は、いずれも開封用タブ４の一側の基部を始点とし、開封用タブ４の他側の基部を終点として、開封用タブ４に対応する箇所を横断することなく、蓋材１の周縁部を廻って形成されている。
【００１９】
なお、本明細書において、半切り線とは、蓋材１の肉厚の途中まで切り込んだ切り込みラインをいう。また、表半切り線とは、蓋材１の表面側（容器２に取り付けた際の外面側）から切り込んだ半切り線、裏半切り線とは、蓋材１の裏面側（容器２に取り付けた際の内面側）から切り込んだ半切り線をいう。
【００２０】
開封用表半切り線５は、開封用タブ４の両側部をそれぞれ内側に延長する方向に形成されたタブ側表半切り線部５ａと、一方のタブ側表半切り線部５ａを、蓋材１の周縁部を廻って他方のタブ側表半切り線部５ａへつなげる周縁側表半切り線部５ｂとを備えている。また、開封用裏半切り線６は、両タブ側表半切り線部５ａ，５ａの内側に、それぞれ内側に凸の湾曲ラインとして形成されたタブ側裏半切り線部６ａ，６ａと、一方のタブ側裏半切り線部６ａを、蓋材１の周縁部を廻って他方のタブ側裏半切り線部６ａへつなぐ周縁側裏半切り線部６ｂとを備えている。
【００２１】
図１および図３に示されるように、周縁側表半切り線部５ｂは、容器２のフランジ部３の中間部上を通って、ほぼフランジ部３の外周縁に沿った形状に形成されている。また、周縁側裏半切り線部６ｂは、フランジ部３の内周縁付近を通って、ほぼフランジ部３の内周縁に沿った形状に形成されている。
【００２２】
図３および図４に示されるように、本例における蓋材１は、裏面側から、熱融着層７、基材層８、易剥離層９および表面層１０を積層したものとなっている。易剥離層９は、積層体である蓋材１に層間剥離を生じやすくする層で、例えば元々層間で剥離しやすい積層フィルムである易剥離性積層フィルムや、凝集剥離を生じやすい凝集剥離フィルムを用いることができる。また、易剥離層９を、例えば隣接する層である基材層８または表面層１０と界面剥離しやすい接着剤層とすることもできる。
【００２３】
熱融着層７としては、例えばポリエチレン、エチレンビニルアルコール、ポバールなどのヒートシール性が良好な合成樹脂を用いることができる。基材層８としては、通常、紙が用いられる。また、表面層１０としては、例えばポリエチレンテレフタレート、ポリプロピレンなどの合成樹脂の他、紙を用いることもできる。特に基材層８としてノーコート紙（少なくとも表面層１０の積層側の表面にアンカーコート処理の施されていない紙）を用い、表面層１０をポリオレフィン系樹脂（例えばポリエチレン、ポリプロピレン、ＥＭＡＡなど）の接着剤層である易剥離層９を介して積層すると、ノーコート紙と接着剤層との界面を剥離しやすい易剥離面とすることができ、層間剥離を生じやすい蓋材１とすることができる。
【００２４】
上記蓋材１と容器２のフランジ部３との間の熱融着による接合は、少なくとも開封用表半切り線５と開封用裏半切り線６の間の領域を含む、開封用裏半切り線６よりも蓋材１の外周縁側で行われている。また、図１に示される開封用タブ４の下側は、非接合領域としても良いが、密封性を高める上で、他の領域より弱く接合しておくことが好ましい。
【００２５】
蓋材１は、図４に示されるように、開封用表半切り線５と開封用裏半切り線６との間の領域を層間剥離させることで、表面側から見た場合に、開封用タブ４から開封用表半切り線５で囲まれた領域を引き剥がして開封することができる。この時、開封用裏半切り線６の内側の基材８側は、引き剥がし側に随伴して除去されることになる。
【００２６】
次に、図１、図５〜図１１に基づいて、本発明に係る蓋材１の開封操作と共に、本発明に係る蓋材１のその他の特徴を説明する。
【００２７】
図１および図５に示されるように、開封用タブ４には、その基部と、基部より先端側とをそれぞれ横断して、２本のタブ横断裏半切り線１１が平行に形成されている。
【００２８】
蓋材１の開封に際しては、まず、開封用タブ４を引き起こして折り立てる。この時、開封用タブ４の基部を横断してタブ横断裏半切り線１１が形成されていることにより、開封用タブ４を基部から容易に折り立てることができ、開封用タブ４が基部からずれた位置で折り立てられてしまうことを防止することができる。また、開封用タブ４を折り立てた後、図６に示されるように、開封用タブ４を摘んで蓋材１の中心方向へ引っ張ることになるが、開封用タブ４基部より先端側を横断してもう１本のタブ横断裏半切り線１１が形成されているので、摘みやすい状態で、開封用タブ４を蓋材１の中心方向に倒すことができる。
【００２９】
なお、本例においては、２本のタブ横断裏半切り線１１を設けたものとなっているが、複数本であれば２本に限らず３本以上とすることもできる。
【００３０】
開封用タブ４を引っ張ると、図７に示されるように、開封用タブ４の両側基部における、開封用表半切り線５と開封用裏半切り線６の合流点（側表半切り線部５ａとタブ側裏半切り線部６ａの合流点）から、開封用表半切り線５と開封用裏半切り線６で挟まれた領域の中でも、タブ側表半切り線部５ａとタブ側裏半切り線部６ａで挟まれた領域で層間剥離が始まる。図７以降の図において斜線で示す部分が層間剥離した剥離面である。
【００３１】
さらに開封用タブ４を引っ張ると、図８に示されるように、開封用表半切り線５と開封用裏半切り線６で挟まれた領域の中でも、周縁側表半切り線部５ｂと周縁側裏半切り線部６ｂとに挟まれた領域まで層間剥離が進行し、この層間剥離を順次進めることで蓋材１を開封することができる。
【００３２】
また、前述したように、開封用タブ４と容器２のフランジ部３間は、その他の領域に比して弱い接合としておくことが好ましい。これは、開封用タブ４を引き起こす際に層間剥離し、開封用タブ４部分の基材層８（図３および図４参照）がフランジ部３上に接合されたまま残ると、この層間剥離が伝播して、周縁側裏半切り線部６ｂの内側の基材層８側も容器２上に残ったまま、表面層１０（図３および図４参照）側だけが剥離されてしまいやすくなるので、開封用タブ４の引き起こし時に層間剥離を生じにくくするためである。
【００３３】
ところで、上記のように、開封用タブ４とフランジ部３間を、開封用タブ４部分での層間剥離を生じにくい強さの接合としても、微妙な調整の違いや、開封用タブ４の引き起こし方によっては、当該層間剥離を生じてしまうこともある。
【００３４】
図示される蓋材１においては、周縁側裏半切り線部６ｂを環状につなげる補助裏半切り線１２が設けられている。この補助裏半切り線１２を設けておくと、上記開封用タブ４部分での層間剥離を生じたとしても、この層間剥離の伝播を補助裏半切り線１２部分で食い止めて全体に広がるのを防止することができる。
【００３５】
本発明の蓋材１は、上記剥離形態の他に、開封用タブ４と容器２のフランジ部３間の接合状態によっては、図９及び図１０に示される剥離形態をとることもある。本発明の蓋材１は、大別して図７および図８に示される剥離形態と、図９および図１０に示される剥離形態を取り柄ることにより、開封用タブ４と容器２のフランジ部３間の接合状態に大きな影響を受けることなく確実な開封が可能となっている。
【００３６】
さらに説明すると、例えば開封用タブ４と容器２のフランジ部３間の接合が強すぎた場合においては、図９に示されるように、タブ側裏半切り線部６ａ，６ａに沿った引き裂きがなされず、当初からタブ側表半切り線部５ａ，５ａに沿った部分のみが引き裂かれることが生じる。この場合、いずれかのタブ横断裏半切り線１１より内側において、タブ側表半切り線部５ａ，５ａで挟まれた領域の基材層８（図３および図４参照）をフランジ部３上に残しながら開封が進行することになる。
【００３７】
補助裏半切り線１２を設けておくと、さらに開封用タブ４を引っ張って層間剥離を拡大した場合に、図１０に示されるように、タブ側裏半切り線部６ａ，６ａ間での層間剥離が補助裏半切り線１２で食い止められ、周縁側表半切り線部５ｂと周縁側裏半切り線部６ｂとに挟まれた領域の層間剥離だけが継続され、この領域の層間剥離を進行させることで開封することができる。
【００３８】
上記のように、本発明の蓋材１においては、図７および図８に示されるような剥離形態と、図９および図１０に示されるような剥離形態をとることができるので、開封用タブ４と容器２のフランジ部３間を接合した場合に、その接合状態に大きく影響されずに確実な開封が可能となる。
【００３９】
ところで、図９および図１０においては、開封用タブ４の裏面における層間剥離が内側のタブ横断裏半切り線１１より開始されているが、開封用タブ４と容器２のフランジ部３間を接合領域がタブ横断裏半切り線１１より外側にはみ出している場合には、図１１に示されるように外側のタブ横断裏半切り線１１より開始されることになる。タブ横断裏半切り線１１を複数本設けておくと、開封用タブ４と容器２のフランジ部３間の接合領域がずれた場合でも、上記２つの剥離形態を維持することが可能となる。
【００４０】
なお、本発明の蓋材１は、開封後、周縁部が容器２のフランジ部３上に接合された状態で残るので、開封後も容器２の剛性を維持しやすい利点もある。また、図示される例では蓋材１および容器２共に平面矩形であるが、平面円形や楕円形などのその他の形状の蓋材１と容器２に対しても本発明を適用することができる。
【図面の簡単な説明】
【００４１】
【図１】本発明の一例に係る蓋材付きの容器の平面図である。
【図２】図１に示される蓋材付き容器の縦断面図である。
【図３】容器のフランジ部と蓋材の接合部周りの拡大断面図で、開封前の状態を示す図である。
【図４】容器のフランジ部と蓋材の接合部周りの拡大断面図で、開封時の状態を示す図である。
【図５】蓋材の開封用タブ付近の拡大平面図で、開封前の状態を示す図である。
【図６】蓋材の開封用タブ付近の拡大平面図で、図５の状態から開封用タブを引っ張り始めた開封第１段階の一例を示す図である。
【図７】蓋材の開封用タブ付近の拡大平面図で、図６の状態からさらに開封用タブを引っ張り、蓋材の層間剥離が始まった開封第２段階の一例を示す図である。
【図８】蓋材の開封用タブ付近の拡大平面図で、図７の状態からさらに開封用タブを引っ張り、蓋材の層間剥離がさらに進んだ開封第３段階の一例を示す図である。
【図９】蓋材の開封用タブ付近の拡大平面図で、開封第２段階の他の例を示す図である。
【図１０】蓋材の開封用タブ付近の拡大平面図で、図９の状態からさらに開封用タブを引っ張り、蓋材の層間剥離がさらに進んだ開封第３段階の他の例を示す図である。
【図１１】蓋材の開封用タブ付近の拡大平面図で、開封第３段階のさらに他の例を示す図である。
【符号の説明】
【００４２】
１    蓋材
２    容器
３    フランジ部
４    開封用タブ
５    開封用表半切り線
５ａ  タブ側表半切り線部
５ｂ  周縁側表半切り線部
６    開封用裏半切り線
６ａ  タブ側裏半切り線部
６ｂ  周縁側裏半切り線部
７    熱融着層
８    基材層
９    易剥離層
１０  表面層
１１  タブ横断裏半切り線
１２  補助裏半切り線
【図１】
2008018955.tif 000003
【図２】
2008018955.tif 000004
【図３】
2008018955.tif 000005
【図４】
2008018955.tif 000006
【図５】
2008018955.tif 000007
【図６】
2008018955.tif 000008
【図７】
2008018955.tif 000009
【図８】
2008018955.tif 000010
【図９】
2008018955.tif 000011
【図１０】
2008018955.tif 000012
【図１１】
2008018955.tif 000013